(57)【特許請求の範囲】
【請求項１】
一対のかご案内レールに案内される乗りかごの上方に巻上機を配置し、この巻上機のシーブにロープを巻き掛け、このロープの一端側に前記乗りかごを吊下げ、他端側に釣り合い重りを吊下げて前記巻上機を駆動することにより、前記乗りかご及び釣り合い重りを互いに相反する方向に昇降させるエレベータにおいて、前記一対のかご案内レールのうち、一方のかご案内レールに補助案内レールを構成し、この補助案内レールによって前記釣り合い重りを案内させるように構成し、前記一対のかご案内レールのうち、他方のかご案内レールは断面コ字形に形成して、その内側にガバナロープの配置スペースを構成し、この配置スペースの上方にガバナを配置するとともに配置スペースの下部内側にガバナテンショナを配置したことを特徴とするエレベータ。
【請求項２】
前記一方のかご案内レールは、断面コ字形に形成して、その内側に前記釣り合い重りが昇降する補助案内レールを構成し、この補助案内レールの下部内側に前記釣り合い重り用のバッファを設けたことを特徴とする請求項１に記載のエレベータ。
【請求項３】
前記一対のかご案内レールの上部に横梁を取付け、この横梁に前記巻上機及びガバナを取付けたことを特徴とする請求項１または請求項２に記載のエレベータ。
【請求項４】
前記一対のかご案内レールの下部に横梁を取付け、この横梁に前記乗りかご用のバッファを取付けたことを特徴とする請求項３に記載のエレベータ。
【請求項５】
前記一対のかご案内レールは、前記巻上機及びガバナを支持する上部横梁と、前記乗りかご用のバッファを支持する下部横梁と、エレベータを設置する建物と結合するためのレールブラケットとを、予め工場で取付けた状態で出荷するようにしたことを特徴とする請求項４に記載のエレベータの組立方法。
【発明の詳細な説明】
【０００１】
【発明の属する技術分野】
本発明は、特に中低層集合住宅用や駅舎用などに適用される中低層用エレベータ及びその組立方法に関する。
【０００２】
【従来の技術】
エレベータの設置されていない既設の中低層集合住宅や駅舎においては、階層間における人荷の移動を容易にするために、既設建物を改造したり、あるいは既設建物に外付けしたりして新たにエレベータを設置することが多くなってきている。
【０００３】
例えば既設の集合住宅の階段を停止階として新たにエレベータを外付けにより設置することが行われている。この種のエレベータは、乗りかごを昇降させる駆動手段として巻上機を使用する構成が一般的である。巻上機は昇降路の頂部に配置され、この巻上機のシーブに巻き掛けられたロープの一方に乗りかごを吊下げ、他方に釣り合い重りを吊下げて、巻上機の起動でシーブが回転することにより、乗りかご及び釣り合い重りが互いに相反する方向に昇降するようになっている。
【０００４】
乗りかご及び釣り合い重りは、それぞれ一対の案内レールにより案内されるようになっており、各案内レールは昇降路に支持されている。
【０００５】
【発明が解決しようとする課題】
ところで、既設の中低層集合住宅や駅舎にエレベータを設置する場合は、既に建物や敷地が全域にわたって有効に利用されており、新たにエレベータを設置するスペースが限られていることが多い。このため、エレベータの昇降路面積及び頂部、底部のすき間はできるだけ縮小化し、省スペースに構成することが要求される。また既設の建物を利用する者への不便を極力少なくするために、工期の短縮も求められる。このような要求に対して従来のエレベータの構成では十分に対応できない場合があった。
【０００６】
本発明は、上述の問題点を考慮し、昇降路を省スペース化し、また工期も短縮して設置できるエレベータ及びその組立方法を提供することを目的とする。
【０００７】
【課題を解決するための手段】
上記の目的を達成するため本発明は、一対のかご案内レールに案内される乗りかごの上方に巻上機を配置し、この巻上機のシーブにロープを巻き掛け、このロープの一端側に乗りかごを吊下げ、他端側に釣り合い重りを吊下げて、巻上機を駆動することにより、乗りかご及び釣り合い重りを互いに相反する方向に昇降させるエレベータを対象とし、乗りかごを案内する一対のかご案内レールのうち、一方のかご案内レールに補助レールを構成し、この補助レールによってのみ、釣り合い重りを案内させる構成とし、前記一対のかご案内レールのうち、他方のかご案内レールは、断面コ字形に形成して、その内側にガバナロープの配置スペースを構成し、この配置スペースの上方にガバナを配置するとともに配置スペースの下部内側にガバナテンショナを配置したものである。
【０００８】
本発明によれば、かご案内レールに釣り合い重り案内レールの機能を持たせているために、釣り合い重り専用の案内レールが不要となり、その案内レールを設置するための昇降路スペースを確保する必要がなくなるので、昇降路スペースを縮小化できる。
【０００９】
また本発明は、一対のかご案内レールに、巻上機及びガバナを支持する上部の横梁と、乗りかご用のバッファを支持する下部の横梁と、エレベータを設置する建物と結合するためのレールブラケットとを、予め工場で取付けた状態で出荷するようにしたものである。
【００１０】
本発明によれば、一対のかご案内レールを建物へ据付けることにより、巻上機やガバナなどの支持構造物の据付けが同時に行えることになり、現地での組立工期を短縮することができる。
【００１１】
【発明の実施の形態】
以下、本発明の実施の形態を説明する。図１は本発明の第１の実施形態に係るエレベータの斜視図である。図１において、乗りかご１は両側に配置された一対のかご案内レール２ａ，２ｂに案内されて昇降するようになっている。一対のかご案内レール２ａ，２ｂは、上部において横梁３により連結され、下部において横梁４により連結されている。上部の横梁３上には乗りかご駆動用の巻上機５及び異常検出用のガバナ６が取付けられている。
【００１２】
巻上機５のシーブ５ａにはロープ７が巻き掛けられており、このロープ７の一端側に乗りかご１が吊下げられ、他端側に釣り合い重り８が吊下げられ、巻上機５を駆動することにより、乗りかご１及び釣り合い重り８が互いに相反する方向に昇降するようになっている。
【００１３】
かご案内レール２ａ，２ｂは、それぞれ断面形状がコ字形となるように鋼材をＣ形に板曲げ加工して形成され、開口側が外側になるように配置されている。乗りかご１には、両側の上下部に各かご案内レール２ａ，２ｂの外側面を転動するガイドローラ１ａが設けられており、乗りかご１はこれらガイドローラ１ａを介して昇降が案内される。
【００１４】
一対のかご案内レール２ａ，２ｂのうち、一方のかご案内レール２ａは、その断面コ字形の内側に釣り合い重り８が配置されて昇降スペースとなっており、かご案内レール２ａの内側面が釣り合い重り８の補助案内レール２２ａを構成している。釣り合い重り８の両側面には図示しないが、ガイドローラが設けられている。また、このかご案内レール２ａの補助案内レール２２ａの下部内側には、釣り合い重り用のバッファ９が配置されている。
【００１５】
他方のかご案内レール２ｂは、その断面コ字形の内側にガバナロープ１０が配置されている。このガバナロープ１０は、かご案内レール２ｂの下部内側に配置されたガバナテンショナ１１と、かご案内レール２ｂの上部である横梁３上に配置されたガバナ６とに巻き掛けられ、乗りかご１の昇降に連動して乗りかご１の異常速度を検出するようになっている。なお、下部の横梁４には、長手方向の中央部に乗りかご用のバッファ１２が配置されている。
【００１６】
かかる構成のエレベータ本体は、図示しない既設の建物に外付け、あるいは改造により設けられた昇降路内に設置される。
【００１７】
このように本実施の形態のエレベータは、一方のかご案内レール２ａに補助案内レール２２ａを構成し、この補助案内レール２２ａのみによって釣り合い重り８を案内させるようにしたので、釣り合い重り専用の案内レールを設けるための設置スペースを確保する必要がなくなる。特に補助案内レール２２ａは、一方のかご案内レール２ａの断面コ字形の内側面に形成され、その内側に釣り合い重り８の昇降スペースが確保されていることによって、釣り合い重り８の配置スペースも有効活用される。
【００１８】
しかもガバナ６、ガバナロープ１０及びガバナテンショナ１１も、他方のかご案内レール２ｂに沿って設けられるので、これらの部品の設置スペースを確保する必要もなく、総じて昇降路面積の縮小化に大きく寄与し、省スペース化を図ることができる。
【００１９】
図2は図１のエレベータを設置する場合に、かご案内レールの工場出荷時の状態を示す斜視図である。図2においては、一対のかご案内レール２ａ，２ｂに、予め上下部の横梁３、４と、エレベータを設置する建物と結合するためのレールブラケット１３を取付け、この状態で工場から出荷するようにしたものである。
【００２０】
据付け現地において、エレベータ本体を昇降路に設置する際に、レールブラケット１３を介して建物の取付け金具１４に一対のかご案内レール２ａ，２ｂを据付けることにより、同時に巻上機やガバナの支持構造物の据付けが行えることができるようになり、現地での組立工期を短縮することができる。
【００２１】
図3は乗りかご案内レールと釣り合い重りの変形例を示すものである。乗りかごが重い場合、釣り合い重りの重量が増大し、体積が大きくなる。本例は案内レール３０の断面を凸状とし、凸部外側３１で乗りかごを案内する。さらにレール内側を補助案内レール３２として、同じく凸状断面の釣り合い重り３３を案内するようにしたもので、レールの寸法に制約がある場合に断面積を増して重りの長さを短縮できる効果がある。
【００２２】
【発明の効果】
以上説明したように、本発明によれば、乗りかごを案内する一対のかご案内レールのうち、一方のかご案内レールに補助レールを構成し、この補助レールによってのみ、釣り合い重りを案内させるように構成したことにより、昇降路の省スペース化を図ることができる。
【００２３】
また本発明によれば、一対のかご案内レールに、巻上機及びガバナを支持する上部の横梁と、乗りかご用のバッファを支持する下部の横梁と、エレベータを設置する建物と結合するためのレールブラケットとを、予め工場で取付けた状態で出荷するようにしたことにより、現地での組立工期の短縮を図ることができる。
【図面の簡単な説明】
【図１】本発明の第１実施の形態に係わるエレベータの概略構成を示す斜視図である。
【図２】図１に示すエレベータの出荷時の状態を示す斜視図である。
【図３】本発明の案内レールの変形例を示す断面図である。
【符号の説明】
１…乗りかご
２ａ，２ｂ…かご案内レール
３…上部の横梁
４…下部の横梁
５…巻上機
６…ガバナ
７…ロープ
８…釣り合い重り
９…釣り合い重り用のバッファ
１０…ガバナロープ
１１…ガバナテンショナ
１２…乗りかご用のバッファ
１３…レールブラケット
１４…取付け金具
２２ａ…補助案内レール
【図１】
0003965977.tif 000002
【図２】
0003965977.tif 000003
【図３】
0003965977.tif 000004